(57)【特許請求の範囲】
【請求項１】
使用中のロールペーパーにスペアのロールペーパーを並設して複数のロールペーパーを載置し、前記使用中のロールペーパーの下側からペーパーを引出すように構成したロールペーパーホルダーにおいて、
前記複数のロールペーパーをロールペーパーの中心軸を横にした状態で並設して載置する載置部材と、前記載置部材に載置された前記複数のロールペーパーを覆うカバー部材と、を備え、
前記カバー部材は、前面側に前記使用中のロールペーパーからのペーパーを切断する切断部を下端に有する第１の開口部が形成され、側面側に前記第１の開口部と連続して切欠かれる第２の開口部が形成され、前記側面側の前記第２の開口部の上下に側壁部を備えており、
前記第２の開口部の高さは、前記第１の開口部の高さよりも高く切欠かれて形成されていることを特徴とするロールペーパーホルダー。
【請求項２】
前記第２の開口部は、前記側面側の前後方向の中心よりも奥側まで前記第１の開口部と連続して切欠かれて形成されていることを特徴とする請求項１に記載のロールペーパーホルダー。
【請求項３】
前記カバー部材は、前記第１の開口部及び第２の開口部よりも上側に前記載置部材に載置されたロールペーパーをスライド可能な第３の開口部が形成されていることを特徴とする請求項１乃至請求項２のいずれか１項に記載のロールペーパーホルダー。
【請求項４】
前記載置部材は、壁面に沿って固定される固定部から前方に下り傾斜となる下降部と、この下降部の前方からのぼり傾斜となる上昇部と、を備え、前記ロールペーパーが前記下降部と前記上昇部の間に載置されることを特徴とする請求項１乃至請求項３のいずれか１項に記載のロールペーパーホルダー。
【発明の詳細な説明】
【技術分野】
【０００１】
本発明は、ロール状に巻回されたロールペーパーを複数載置し、そのうちの一つのロールペーパーから引出されたペーパーを切断するロールペーパーホルダーに関するものであり、例えば、トイレ空間の壁面に取り付けてロールペーパーを保持・切断するのに利用可能なロールペーパーホルダーに関する発明である。
【背景技術】
【０００２】
従来のロールペーパーホルダーに、使用中のロールペーパーのロール芯を回転可能に支持しておき、スペアのロールペーパーを隣接して配置させるものがある。例えば、特許文献１のロールペーパーホルダーは、使用中のロールペーパーのロール芯を軸棒で支持し、スペアのロールペーパーも軸棒で隣接して配置させておき、使用中のロールペーパーが使い終わった時点でスペアのロールペーパーを所定の位置にスライドさせ、スペアのロールペーパーを使用可能とするものである。
【０００３】
この特許文献１のロールペーパーホルダーは、使用中のロールペーパーが使い終わった時点でスペアのロールペーパーを所定の位置にスライドさせれば良いので、使用中のロールペーパーが使い終わる毎にロールペーパーを取り付ける必要がなくなる。また、公共の場に設置された場合に、スペアのロールペーパーが盗まれることがないようにロック手段が設けられているが、仮にロック手段でロックされていても、使用中のロールペーパーが使い終わって軸棒に残ったロール芯を側壁の開口部から取り出せるように工夫されているので、使用中のロールペーパーが使い終わった時点でスペアのロールペーパーを所定の位置にスムーズにスライドでき、使用者が困らなくてすむ。
【０００４】
一方、近年様々なタイプのロールペーパーが販売されており、例えば、ロール芯がないタイプのロールペーパーがある。このロール芯がないタイプのロールペーパーを回転可能に支持して使用する場合、専用の軸棒を使用する必要がある。しかしながら、上述したように、上記の特許文献１のロールペーパーホルダーは、使用中のロールペーパーのロール芯を軸棒で支持し、スペアのロールペーパーも軸棒で隣接して配置させておく構成であるので、単純に専用の軸棒を使用することができない。
【０００５】
そこで、この問題を解決するため、例えば、特許文献２の提案がなされている。以下、具体的に説明する。特許文献２のロールペーパーホルダーは、使用中のロールペーパーのロール芯を軸棒で支持せずに、使用中のロールペーパーを載置部で支持し、スペアのロールペーパーも載置部で隣接させて配置させておき、使用中のロールペーパーが使い終わるとスペアのロールペーパーを載置部にスライドし、スペアのロールペーパーを使用可能にするものである。
【０００６】
この特許文献２のロールペーパーホルダーは、上記のロール芯がないタイプのロールペーパーを使用する場合であっても、専用の軸棒を使用せずにロールペーパーを使用することができ、通常のロール芯があるタイプのロールペーパーを使用する場合であっても、使用中のロールペーパーが使い終わって載置部に残ったロール芯を芯取り出し口から取り出せるように工夫されている。
【０００７】
更に、この特許文献２のロールペーパーホルダーは、ロールペーパーの使い始めにあるペーパー端部の糊付けをペーパー取り出し口に一致させやすい構成になっている。ロールペーパーホルダーの側面に大きく芯取り出し口が形成されているので、使用者がその芯取り出し口からロールペーパーを回転させることにより、ペーパー端部の糊付けをペーパー取り出し口に一致させやすく、スペアのロールペーパーを載置部にスライドさせた後、ペーパー端部の糊付けをペーパー取り出し口に一致できずに使用者が困らなくてすむ。
【先行技術文献】
【特許文献】
【０００８】
【特許文献１】特開平０１−０３０３１１３号公報
【特許文献２】登録実用新案３０２７８３８号公報
【発明の概要】
【発明が解決しようとする課題】
【０００９】
しかしながら、この特許文献２のロールペーパーホルダーは、ペーパー端部の糊付けをペーパー取り出し口に一致させやすいものの、公共の場に設置された場合には、ロールペーパーホルダーの側面に大きく開口した芯取り出し口が形成されているので、ロールペーパーが盗まれやすいという問題がある。また、この特許文献２のロールペーパーホルダーは、使用中のロールペーパーの上側からペーパーを引出し、ペーパー取り出し口の上端又は下端の切断部でペーパーを切断するので、切断部でペーパーを切断した際にロールペーパーが転がってしまい、ペーパー端部が切断部よりも内側に入ってしまい、次回のペーパー引き出しの際にペーパー端部を摘むことが難しいという問題がある。
【００１０】
そこで、本発明は、従来の技術の問題点を解決するために、開口部を小さくしても開口部にペーパー端部の糊付けを一致させやすいとともに、引き出されたペーパーがそのまま残るので次回のペーパー引き出しの際にペーパー端部が摘みやすいロールペーパーホルダーを提供することを目的としている。
【課題を解決するための手段】
【００１１】
上記目的を達成するために請求項１記載のロールペーパーホルダーでは、使用中のロールペーパーにスペアのロールペーパーを並設して複数のロールペーパーを載置し、前記使用中のロールペーパーの下側からペーパーを引出すように構成したロールペーパーホルダーにおいて、前記複数のロールペーパーをロールペーパーの中心軸を横にした状態で並設して載置する載置部材と、前記載置部材に載置された前記複数のロールペーパーを覆うカバー部材と、を備え、前記カバー部材は、前面側に前記使用中のロールペーパーからのペーパーを切断する切断部を下端に有する第１の開口部が形成され、側面側に前記第１の開口部と連続して切欠かれる第２の開口部が形成され、前記側面側の前記第２の開口部の上下に側壁部を備えており、前記第２の開口部の高さは、前記第１の開口部の高さよりも高く切欠かれて形成されていることを特徴とする。
【００１２】
本発明によれば、側面側に第１の開口部と連続して切欠かれる第２の開口部が形成されているので、ロールペーパーが開口部から盗まれることがないように開口部を小さくしても第１の開口部及び第２の開口部からペーパーを回転させて第１の開口部にペーパー端部の糊付けを一致させやすい。また、使用中のロールペーパーの下側からペーパーを引出し、第１の開口部の下端の切断部でペーパーを切断するので、切断されたペーパーが切断部の上側にそのまま残りやすくなり、次回のペーパー引き出しの際にペーパー端部が摘みやすくすることができる。さらに第２の開口部を小さくしても第２の開口部からロールペーパーをより回転させやすくなり、第１の開口部にペーパー端部の糊付けをより簡単に一致させやすい。また、使用中のロールペーパーが使い終わって載置部に残ったロール芯を開口部からより簡単に取り出せるようになる。
【００１３】
また、請求項２記載のロールペーパーホルダーでは、前記第２の開口部は、前記側面側の前後方向の中心よりも奥側まで前記第１の開口部と連続して切欠かれて形成されていることを特徴とする。
【００１４】
本発明によれば、第２の開口部を小さくしても第２の開口部からロールペーパーを回転させやすくなり、第１の開口部にペーパー端部の糊付けをより一致させやすい。
【００１７】
また、請求項３記載のロールペーパーホルダーでは、前記カバー部材は、前記第１の開口部及び前記第２の開口部よりも上側に前記載置部材に載置されたロールペーパーをスライド可能な第３の開口部が形成されていることを特徴とする。
【００１８】
本発明によれば、載置部に載置されたロールペーパーをスライド可能な第３の開口部が形成されているので、載置部に載置された複数のロールペーパーを簡単にスライドすることができる。
【００１９】
また、請求項４記載のロールペーパーホルダーでは、前記載置部材は、壁面に沿って固定される固定部から前方に下り傾斜となる下降部と、この下降部の前方からのぼり傾斜となる上昇部と、を備え、前記ロールペーパーが前記下降部と前記上昇部の間に載置されることを特徴とする請求項１乃至請求項３のいずれか１項に記載のロールペーパーホルダー。
【００２０】
本発明によれば記ロールペーパーが下降部と上昇部の間に載置されるので、ペーパー端部をカットした際にロールペーパーが転がりにくく、次回のペーパー引き出しの際にペーパー端部が摘みやすい。
【発明の効果】
【００２１】
本発明のロールペーパーホルダーによれば、開口部を小さくしても開口部にペーパー端部の糊付けを一致させやすいとともに、引き出されたペーパーがそのまま残るので次回のペーパー引き出しの際にペーパー端部が摘みやすいロールペーパーホルダーを提供することができる。
【図面の簡単な説明】
【００２２】
【図１】本発明のロールペーパーホルダーの斜視図である。
【図２】図１においてロールペーパーを除いた状態を示す斜視図である。
【図３】図２の分解斜視図である。
【図４】図１におけるロールペーパーが大きい状態を表す主要拡大断面図である。
【図５】図１におけるロールペーパーが小さい状態を表す主要拡大断面図である。
【図６】本発明のロールペーパーホルダーをトイレ空間に設置した状態を示す図である。
【発明を実施するための形態】
【００２３】
以下、本発明におけるロールペーパーホルダー１の実施形態について図を用いて説明する。図１は、本発明の実施形態のロールペーパーホルダー１の斜視図である。図２は、図１においてロールペーパーを除いた状態を表す斜視図である。本発明のロールペーパーホルダー１は、ロールペーパー２の軸心を横にした状態で載置している。ロールペーパーホルダー１の右端に使用されるロールペーパー２が配置され、第１の開口部１１からペーパーが取り出し可能となっている。また、その使用されるロールペーパー２の左側にはスペアのロールペーパー２が複数個収納可能となっている。
【００２４】
本発明のロールペーパーホルダー１では、複数のロールペーパー２をロールペーパーの中心軸を横にした状態で並設して載置する載置部材５と、載置部５に載置された複数のロールペーパー２の覆うカバー部材と３、を備えている。カバー部材３は、前面側に使用中のロールペーパー２からのペーパーを切断する切断部６を下端に有する第１の開口部１１が形成され、側面側に第１の開口部１１と連続して切欠かれる第２の開口部１２が形成され、側面側の第２の開口部１２の上下に側壁部１５を備えている。
【００２５】
図１に示すように、カバー部材３の正面第１の開口部１１の開口高さは、ロールペーパー２の空芯（３８Φ）が飛び出さず操作しやすい高さ（２０〜３５ｍｍ程度）とし、側壁部１５の一部を切欠いた第２の開口部１２の開口高さは、ロールペーパー２の空芯が取り出せる高さかつ、盗難する意味の薄いなるべく小径に近い（５０ｍｍ程度）とする。第２の開口部１２は、新品の糊付けされたロールペーパー２の端部をはがす際に、ロールペーパー２を回転させて端部を探すために指でつかむためのものでもあり、５０ｍｍ程度が適切と考えられる。尚、第２の開口部１２は、使用中のロールペーパーの中心軸よりも奥側まで第１の開口部１１と連続して切欠かれて形成されているので、第２の開口部１２からロールペーパーを回転させて第１の開口部１１にペーパー端部の糊付けをより一致させやすい。
【００２６】
さらに、正面に設けた第３の開口部１３は、スペアのロールペーパー２を指でスライド移動させるためのものであるが、ロールペーパー２の紙端部が内部に入り込んだ状態でも、図７に示すように便座１４に座った状態から内部の状態を確認しやすくするために第１の開口部１１上部まで開口され、確認用の窓を兼ねていることを特徴としている。
【００２７】
図３は、図１の分解斜視図である。ロールペーパーホルダー１の構成は、ペーパーホルダー１のカバー部材３とロールペーパー２のストックを戴置するための戴置部４、使用されるロールペーパー２を載置し横ズレを防止するストッパー５、切断部６を備えている。ストッパー５は、ロールペーパー２が横方向おいて所定の位置からずれないように位置決めの機能を有しており、ロールペーパー２が載置部材５を転動する際に摺動抵抗が大きくならないＰＰ（ポリプロピレン）等で形成されることが好ましい。載置部材５は、トイレ壁面Ｗに沿って固定される固定部８から前方に下り傾斜となる下降部９と、下降部９の前方から昇り傾斜となり、前方に切断部６が設けられる上昇部１０と、下降部９と上昇部１０との側方に形成された側壁部１５から構成される。下降部９と上昇部１０は、固定部８側から手前側に連続して下るように傾斜している。尚、切断部６の材質は、ゴム系やエラストマー樹脂他の摩擦力の大きい材料が考えられ、ペーパーカット時には、ペーパーが横滑りするのを防止してカット性を良くするため、無数の突起部をランダムに配置することで引っ掛かり作用を持たせ、先端に設けた凹凸の紙切歯によってスムーズなカットができる。
【００２８】
図５は、図１におけるロールペーパー２が大きい状態を表す主要拡大断面図である。本発明のロールペーパーホルダー１は、ロールペーパー２の軸心を横にした状態で載置するストッパー５を備え、ロールペーパー２を載置部材５上で転動させてロールペーパー２のペーパーを引き出し可能としたロールペーパーホルダー１であって、載置部材５は、壁面に沿って固定される固定部８から前方に下り傾斜となる下降部９と、この下降部の前方からのぼり傾斜となる上昇部１０と、を備える構成としている。それによって、ロールペーパー２が大きい状態でロールペーパーホルダー１に載置されている場合、載置部材５の前方からペーパーを引出す際に、ロールペーパー２の転動に対して大きな抵抗が発生することなく、ペーパーを滑らかに引出すことが可能となるとともにカット性が向上できる。
【００２９】
図６は、図１におけるロールペーパー２が小さい状態を表す主要拡大断面図である。ロールペーパー２が小さい状態でロールペーパーホルダー１に載置されている場合、載置部材５の前方からペーパーを引出す際に、ロールペーパー２の転動に対して大きな抵抗が発生するため、ロールペーパー２が載置部材の後方に向かって勢いよく転動することがなくなり、載置部材５上のロールペーパーが安定な状態でペーパーを滑らかに引出すことが可能となる。
【００３０】
以上、本発明について実施形態を通して説明してきたが、本発明は、ロールペーパーホルダー１の右端に使用されるロールペーパー２が配置され、第１の開口部１１からペーパーが取り出し可能となっているものに限定されるものではなく、本発明の技術思想から逸脱しない範囲で適宜設計変更をしてもよい。
【符号の説明】
【００３１】
１…ロールペーパーホルダー
２…ロールペーパー
３…カバー部材
４…戴置部材
５…ストッパー
６…切断部
８…固定部
９…下降部
１０…上昇部
１１…第１の開口部
１２…第２の開口部
１３…第３の開口部  １４…便座
１５…側壁部
【図１】
0005867898.tif 000002
【図２】
0005867898.tif 000003
【図３】
0005867898.tif 000004
【図４】
0005867898.tif 000005
【図５】
0005867898.tif 000006
【図６】
0005867898.tif 000007